(57)【要約】      （修正有）【課題】排水ソケットから床下排水管に偏って流入した洗浄水が床下排水管の屈曲部分をシールして負圧が発生することを防ぎ、便器の封水を引き込むことにより封水水位が低下することを防ぐことができ、節水化できる洗い落し式便器を提供する。【解決手段】洗い落し式便器１は、汚物受け面１２とリム部１４とを備えたボウル部６と、ボウル部６に洗浄水を吐水して旋回流を形成する吐水部２０，２２と、ボウル部６の下方に入口１０ａが接続され、後方且つ上方へ延びる上昇管路１０ｂ及び上昇管路１０ｂと接続し且つ下方へと延びる下降管路１０ｃを備えた排水トラップ管路１０と、排水トラップ管路１０の出口部と床下に設けられた床下排水管２６の入口部とを連結する管路を形成する排水ソケット２４と、を有し、排水ソケット２４の管路の内周面には、この内周面に沿って旋回しようとする洗浄水の旋回方向の流速成分を減少させる旋回抑制手段が設けられている。【選択図】図１
2015063849.tif 000002
【特許請求の範囲】
【請求項１】
水の落差による流水作用で汚物を押し流す洗い落し式便器であって、
ボウル形状の汚物受け面と、上縁に位置するリム部と、を備えたボウル部と、
このボウル部に洗浄水を吐水して旋回流を形成する吐水部と、
上記ボウル部の下方に入口が接続され、後方且つ上方へ延びる上昇管路と、この上昇管路と接続し且つ下方へと延びる下降管路と、を備えた排水トラップ管路と、
この排水トラップ管路の出口部と床下に設けられた床下排水管の入口部とを連結する管路を形成する排水ソケットと、を有し、
上記排水ソケットの管路の内周面には、この内周面に沿って旋回しようとする洗浄水の旋回方向の流速成分を減少させる旋回抑制手段が設けられていることを特徴とする洗い落し式便器。
【請求項２】
上記旋回抑制手段は、上記排水ソケットの管路の下流付近に設けられ、この管路の内側且つ下方に垂下する壁面を形成する垂下部材を備えている請求項１記載の洗い落し式便器。
【請求項３】
上記垂下部材は、上記排水ソケットを便器本体に取り付けた使用状態において、便器本体の前方から見て、上記排水ソケットの管路の平面断面の中心軸線に対して前側領域又は後側領域の一方側に設けられている請求項２記載の洗い落し式便器。
【請求項４】
上記垂下部材は、上記排水トラップ管路の下降管路の平面断面の中心軸線が上記排水ソケットの上記管路の平面断面の中心軸線よりも後側に位置する場合には、上記排水ソケットの管路の水平断面において前側領域に設けられ、上記排水トラップ管路の下降管路の平面断面の中心軸線が上記排水ソケットの管路の平面断面の中心軸線よりも前側又は同じ位置に位置する場合には、上記排水ソケットの管路の水平断面において後側領域に設けられる請求項３記載の洗い落し式便器。
【請求項５】
上記垂下部材の壁面は、上記排水ソケットの管路の平面断面において、その内周に沿ってほぼ半周に亘って形成されている請求項２乃至４の何れか１項に記載の洗い落し式便器。
【請求項６】
上記垂下部材の壁面は、その下方端部の内側面が上記排水ソケットの上記管路の平面断面の中央且つ下方に向かって傾斜するように形成されている請求項４又は５に記載の洗い落し式便器。
【請求項７】
上記排水ソケットは、下斜め方向へ延びるように形成された上流側管路と、この上流側管路から連続して下方に延びるように形成された下流側管路と、を備え、上記垂下部材は、上記上流側管路の底面を下斜め方向に延長した部分と上記下流側管路の側面を下方に延長した部分とが交わる位置の付近に設けられるか、又は上記交わる位置の付近よりも下方に設けられる請求項２乃至６の何れか１項に記載の洗い落し式便器。
【請求項８】
上記垂下部材は、上記排水ソケットの管路の下流付近の垂下部材取付部に別部材として取り付けられ、上記排水ソケットの垂下部材取付部は、その内周方向に沿って下向きの凸部又は上向きの凹部が複数設けられた嵌合部を備え、上記垂下部材の上端部は、その周方向に沿って上記排水ソケットの下向きの凸部又は上向きの凹部に嵌合可能に取り付けられる上向きの凹部又は下向きの凸部が複数設けられていた嵌合部を備えている請求項２乃至７の何れか１項に記載の洗い落し式便器。
【請求項９】
上記排水ソケットの垂下部材取付部の嵌合部と上記垂下部材の嵌合部のそれぞれは、上記排水ソケットの垂下部材取付部の内周方向に沿って上記排水ソケットの管路の中心軸線に対して内側と外側に二列で配列されている請求項８記載の洗い落し式便器。
【請求項１０】
上記垂下部材は、その壁面の下端から外側の上記排水ソケットの管路の内周面に向かって突出するように設けられた立壁を備えている請求項２乃至９の何れか１項に記載の洗い落とし式便器。
【請求項１１】
上記排水ソケットの垂下部材取付部の嵌合部と上記垂下部材の嵌合部のそれぞれは、上記排水ソケットの垂下部材取付部の内周方向に沿って上記排水ソケットの管路の中心軸線に対して内側と外側に互い違いに二列で配列され、上記排水ソケットの垂下部材取付部の嵌合部と上記垂下部材の嵌合部とが互いに嵌合している部分は、接着剤により固定され、面一の管路面を形成する請求項９記載の洗い落し式便器。
【発明の詳細な説明】
【技術分野】
【０００１】
本発明は、水の落差による流水作用で汚物を押し流す洗い落し式便器に係り、特に、排水ソケットから床下排水管に偏って流入した洗浄水が床下排水管の屈曲部分をシールして負圧が発生することを防ぎ、便器の封水を引き込むことにより封水水位が低下することを防ぎ、節水化できる洗い落し式便器に関する。
【背景技術】
【０００２】
従来から、水洗大便器の種類の中で、サイホン作用を生じさせない便器として、洗い落し式便器が知られている。このような従来の洗い落し式便器は、サイホン作用を生じさせて便器を洗浄するサイホン式便器に比べて、水の落差による流水作用で汚物を押し流す方式で構造がシンプルであり、かつ安価であることに加えて、サイホン作用を生じさせないため、便器洗浄に用いられる洗浄水の量が少なくて済むという利点がある。このような洗い落し式便器の利点は、従来から便器に要請されている洗浄水の節水のニーズにも合致したものとなっている。
また、従来の洗い落し式便器において、汚物を受ける汚物受け面と、この上縁に位置するリム部と、リム部の後方側に設けられ前方向に洗浄水を吐水するリム吐水部を備え、リム吐水部から吐水された洗浄水により、汚物受け面に旋回流を形成し洗浄を行うものが知られている。このような便器では、汚物受け面に旋回流を形成するため、洗浄水を旋回させながら排水トラップ部及び排水ソケットから床下の排水管側へ排出する。この際に、排水ソケット部を通過する洗浄水は旋回しながら通過するため、排水ソケットの管路の内周面に沿って流れることとなる。これにより、排水ソケットから床下の排水管側に流入する際には、床下の排水管の通水方向と直角の断面において、洗浄水が排水管の内周面に偏った状態で入り込むことになる。したがって、床下の排水管が屈曲部分を有している場合には、床下の排水管の内周面に偏った洗浄水が屈曲部分をシールしてしまい、床下の排水管内で負圧が発生し、便器の封水までも引き込んでしまい、便器の封水不足になってしまうという問題がある。
そこで、このような問題の対策として、例えば、特許文献１に記載されているように、水洗大便器の排水ソケットの屈曲管路内で発生する上流側の排水を下流側に引き込もうとする負圧を抑制する負圧抑制手段が、排水ソケットの屈曲管路部材に設けられているものも知られている。
【先行技術文献】
【特許文献】
【０００３】
【特許文献１】特開２０１１−１７９１８７号公報
【発明の概要】
【発明が解決しようとする課題】
【０００４】
しかしながら、上述した特許文献１の水洗大便器においては、排水ソケットの管路の内周面に沿って旋回しようとする洗浄水の旋回方向の流速成分を減少させる旋回抑制手段がないため、特に、旋回流で洗浄をするような水洗大便器に、このような排水ソケットを適用した場合には、洗浄水が排水ソケットの管路の内周面に沿って旋回するのを抑制することができない。しがって、洗浄水が床内の排水管へ偏った状態で流入すること防止することができず、床下の排水管が屈曲部分を有している場合には、排水ソケットから床下の排水管に偏って流入した洗浄水が屈曲部分をシールしてしまうことにより負圧が発生し、便器の封水を引き込むことを防ぐことができず、便器の封水水位の低下を防止することができないという問題がある。また、このような場合、封水が低下した分の量の洗浄水を加えなければならず、その分の量の洗浄水を余分に使用することになり、節水化のニーズに反することになるといった問題がある。
【０００５】
そこで、本発明は、上述した従来技術の問題を解決するためになされたものであり、排水ソケットから床下排水管に偏って流入した洗浄水が床下排水管の屈曲部分をシールして負圧が発生することを防ぎ、便器の封水を引き込むことにより封水水位が低下することを防ぎ、節水化できる洗い落し式便器を提供することを目的としている。
【課題を解決するための手段】
【０００６】
上述した目的を達成するために、本発明は、水の落差による流水作用で汚物を押し流す洗い落し式便器であって、ボウル形状の汚物受け面と、上縁に位置するリム部と、を備えたボウル部と、このボウル部に洗浄水を吐水して旋回流を形成する吐水部と、上記ボウル部の下方に入口が接続され、後方且つ上方へ延びる上昇管路と、この上昇管路と接続し且つ下方へと延びる下降管路と、を備えた排水トラップ管路と、この排水トラップ管路の出口部と床下に設けられた床下排水管の入口部とを連結する管路を形成する排水ソケットと、を有し、上記排水ソケットの管路の内周面には、この内周面に沿って旋回しようとする洗浄水の旋回方向の流速成分を減少させる旋回抑制手段が設けられていることを特徴としている。
このように構成された本発明においては、排水ソケットの管路の内周面に旋回抑制手段が設けられているため、吐水部からボウル部に洗浄水を吐水して形成した旋回流で便器を洗浄した洗浄水が排水ソケットの管路の内周面に沿って旋回することを抑制することができ、洗浄水が排水ソケットから床下排水管へ偏った状態で流入すること防ぐことができる。したがって、床下排水管が屈曲部分を有している場合に、排水ソケットから床下排水管に偏って流入した洗浄水が床下排水管の屈曲部分をシールして負圧が発生することを防ぐことができ、洗い落し式便器の封水を引き込むことにより封水水位が低下することを防ぐことができるため、節水化できる。
【０００７】
本発明において、好ましくは、上記旋回抑制手段は、上記排水ソケットの管路の下流付近に設けられ、この管路の内側且つ下方に垂下する壁面を形成する垂下部材を備えている。
このように構成された本発明においては、旋回抑制手段が、排水ソケットの管路の下流付近に設けられ、この管路の内側且つ下方に垂下する壁面を形成する垂下部材が、旋回流で便器を洗浄した洗浄水が排水ソケットの管路の内周面に沿って旋回することを抑制することができるため、洗浄水が排水ソケットから床下排水管へ偏った状態で流入すること防ぐことができる。したがって、床下排水管が屈曲部分を有している場合に、排水ソケットから床下排水管に偏って流入した洗浄水が床下排水管の屈曲部分をシールして負圧が発生することを防ぐことができ、洗い落し式便器の封水を引き込むことにより封水水位が低下することを防ぐことができるため、節水化できる。
【０００８】
本発明において、好ましくは、上記垂下部材は、上記排水ソケットを便器本体に取り付けた使用状態において、便器本体の前方から見て、上記排水ソケットの管路の平面断面の中心軸線に対して前側領域又は後側領域の一方側に設けられている。
このように構成された本発明においては、垂下部材が排水ソケットの管路の平面断面の中心軸線に対して前側領域に設けられている場合には、旋回流で便器を洗浄した洗浄水が排水ソケットの管路の内周面に沿って旋回することを抑制し、洗浄水が床下排水管内の前側領域へ偏った状態で流入すること防ぐことができる。したがって、床下排水管が屈曲部分を有している場合に、排水ソケットから床下排水管に偏って流入した洗浄水が床下排水管の屈曲部分をシールして負圧が発生することを防ぐことができ、洗い落し式便器の封水を引き込むことを防ぐことができる。また、垂下部材が排水ソケットの管路の平面断面の中心軸線に対して後側領域には設けられていないため、排水ソケットの管路を狭めることなく、縮流によって排水ソケット内でサイホン作用が発生することも防ぐことができ、排水ソケット自体が洗い落し式便器の封水を引き込むことを防ぐことができる。一方、垂下部材が排水ソケットの管路の平面断面の中心軸線に対して後側領域に設けられている場合には、旋回流で便器を洗浄した洗浄水が排水ソケットの管路の内周面に沿って旋回することを抑制し、洗浄水が床下排水管内の後側領域へ偏った状態で流入すること防ぐことができるため、床下排水管が屈曲部分を有している場合に、排水ソケットから床下排水管に偏って流入した洗浄水が床下排水管の屈曲部分をシールして負圧が発生することを防ぐことができ、洗い落し式便器の封水を引き込むことを防ぐことができる。また、垂下部材が排水ソケットの管路の平面断面の中心軸線に対して前側領域には設けられていないため、排水ソケットの管路を狭めることなく、縮流によって排水ソケット内でサイホン作用が発生することを防ぐこともでき、排水ソケット自体が洗い落し式便器の封水を引き込むことにより封水水位が低下することを防ぐことができるため、節水化できる。
【０００９】
本発明において、好ましくは、上記垂下部材は、上記排水トラップ管路の下降管路の平面断面の中心軸線が上記排水ソケットの上記管路の平面断面の中心軸線よりも後側に位置する場合には、上記排水ソケットの管路の水平断面において前側領域に設けられ、上記排水トラップ管路の下降管路の平面断面の中心軸線が上記排水ソケットの管路の平面断面の中心軸線よりも前側又は同じ位置に位置する場合には、上記排水ソケットの管路の水平断面において後側領域に設けられる。
このように構成された本発明においては、排水トラップ管路の下降管路の平面断面の中心軸線が排水ソケットの管路の平面断面の中心軸線よりも後側に位置する場合には、垂下部材を排水ソケットの下流付近の管路の水平断面において前側領域に設け、排水トラップ管路の下降管路の平面断面の中心軸線が排水ソケットの管路の平面断面の中心軸線よりも前側又は同じ位置に位置する場合には、垂下部材を排水ソケットの管路の水平断面において後側領域に設けることにより、排水トラップ管路の下降管路がどのような態様であっても、旋回流で便器を洗浄した洗浄水が排水ソケットの管路の内周面に沿って旋回することを確実に抑制することができるため、洗浄水が排水ソケットから床下排水管へ偏った状態で流入すること防ぐことができる。したがって、床下排水管が屈曲部分を有している場合に、排水ソケットから床下排水管に偏って流入した洗浄水が床下排水管の屈曲部分をシールして負圧が発生することを防ぐことができ、洗い落し式便器の封水を引き込むことにより封水水位が低下することを防ぐことができるため、節水化できる。
【００１０】
本発明において、好ましくは、上記垂下部材の壁面は、上記排水ソケットの管路の平面断面において、その内周に沿ってほぼ半周に亘って形成されている。
このように構成された本発明においては、垂下部材の壁面が、排水ソケットの管路の平面断面において、その内周に沿ってほぼ半周に亘って形成されていることにより、旋回流で便器を洗浄した洗浄水が排水ソケットの管路の内周面に沿って旋回するのを確実に抑制し、洗浄水を垂下部材の壁面に沿って排水ソケットの管路のほぼ中央に導くことができ、洗浄水が排水ソケットから床下排水管へ偏った状態で流入すること防ぐことができる。したがって、床下排水管が屈曲部分を有している場合に、排水ソケットから床下排水管に偏って流入した洗浄水が床下排水管の屈曲部分をシールして負圧が発生することを防ぐことができ、洗い落し式便器の封水を引き込むことを防ぐことができる。また、排水ソケットの管路の平面断面の内周に沿って形成される垂下部材の壁面をほぼ半周程度に留めることにより、排水ソケットの管路を狭めることなく、縮流によって排水ソケット内でサイホン作用が発生することを防ぐこともでき、排水ソケット自体が洗い落し式便器の封水を引き込むことにより封水水位が低下することを防ぐことができるため、節水化できる。
【００１１】
本発明において、好ましくは、上記垂下部材の壁面は、その下方端部の内側面が上記排水ソケットの上記管路の平面断面の中央且つ下方に向かって傾斜するように形成されている。
このように構成された本発明においては、垂下部材の壁面の下方端部の内側面が排水ソケットの管路の平面断面の中央且つ下方に向かって傾斜するように形成されていることにより、旋回流で便器を洗浄した洗浄水が排水ソケットの管路の内周面に沿って旋回するのをより確実に抑制し、洗浄水を垂下部材の壁面に沿って排水ソケットの管路のほぼ中央により確実に導くことができ、洗浄水が排水ソケットから床下排水管へ偏った状態で流入すること確実に防ぐことができる。したがって、床下排水管が屈曲部分を有している場合に、排水ソケットから床下排水管に偏って流入した洗浄水が床下排水管の屈曲部分をシールして負圧が発生することを確実に防ぐことができ、洗い落し式便器の封水を引き込むことにより封水水位が低下することを確実に防ぐことができるため、節水化できる。
【００１２】
本発明において、好ましくは、上記排水ソケットは、下斜め方向へ延びるように形成された上流側管路と、この上流側管路から連続して下方に延びるように形成された下流側管路と、を備え、上記垂下部材は、上記上流側管路の底面を下斜め方向に延長した部分と上記下流側管路の側面を下方に延長した部分とが交わる位置の付近に設けられるか、又は上記交わる位置の付近よりも下方に設けられる。
このように構成された本発明においては、垂下部材が、排水ソケットの上流側管路の底面を下斜め方向に延長した部分と排水ソケットの下流側管路の側面を下方に延長した部分とが交わる位置の付近に設けられるか、又は上記交わる位置の付近よりも下方に設けられることにより、旋回流で便器を洗浄した洗浄水が排水ソケットの管路の内周面に沿って旋回するのを確実に抑制し、排水ソケットの上流側管路を流れた洗浄水を下流側管路のほぼ中心方向に確実に導くことができ、洗浄水が排水ソケットから床下排水管へ偏った状態で流入することを確実に防ぐことができる。したがって、床下排水管が屈曲部分を有している場合に、排水ソケットから床下排水管に偏って流入した洗浄水が床下排水管の屈曲部分をシールして負圧が発生することを確実に防ぐことができ、洗い落し式便器の封水を引き込むことにより封水水位が低下することを確実に防ぐことができるため、節水化できる。
【００１３】
本発明において、好ましくは、上記垂下部材は、上記排水ソケットの管路の下流付近の垂下部材取付部に別部材として取り付けられ、上記排水ソケットの垂下部材取付部は、その内周方向に沿って下向きの凸部又は上向きの凹部が複数設けられた嵌合部を備え、上記垂下部材の上端部は、その周方向に沿って上記排水ソケットの下向きの凸部又は上向きの凹部に嵌合可能に取り付けられる上向きの凹部又は下向きの凸部が複数設けられていた嵌合部を備えている。
このように構成された本発明においては、垂下部材が排水ソケットの管路の下流付近に設けられた垂下部材取付部に別部材として取り付けられ、この排水ソケットの垂下部材取付部に内周方向に沿って複数設けられた下向きの凸部又は上向きの凹部からなる嵌合部と、垂下部材の上端部に周方向に沿って複数設けられた上向きの凹部又は下向きの凸部からなる嵌合部とが互いに嵌合して取り付けられることにより、垂下部材を排水ソケットにしっかりと固定することができる。
【００１４】
本発明において、好ましくは、上記排水ソケットの垂下部材取付部の嵌合部と上記垂下部材の嵌合部のそれぞれは、上記排水ソケットの垂下部材取付部の内周方向に沿って上記排水ソケットの管路の中心軸線に対して内側と外側に二列で配列されている。
このように構成された本発明においては、排水ソケットの垂下部材取付部の嵌合部と垂下部材の嵌合部のそれぞれが、排水ソケットの垂下部材取付部の内周方向に沿って排水ソケットの管路の中心軸線に対して内側と外側に二列で配列されているため、排水ソケットの垂下部材取付部の嵌合部と垂下部材の嵌合部とが互いに嵌合されて取り付けられることにより、垂下部材を排水ソケットにしっかりと固定することができる。
【００１５】
本発明において、好ましくは、上記垂下部材は、その壁面の下端から外側の上記排水ソケットの管路の内周面に向かって突出するように設けられた立壁を備えている。
このように構成された本発明においては、排水ソケット内を流れる洗浄水量が比較的少なく、洗浄水の勢いがない状態で排水ソケットから床下排水管へ滴り落ちようとする水滴に対しても、垂下部材の壁面の下端から外側の排水ソケットの管路の内周面に向かって突出するように設けられた立壁により、水滴を垂下部材の立壁を伝わせ、排水ソケットの管路の内周面に沿って流下させることができるため、床下排水管内で発生する滴下音を防ぐことができる。
【００１６】
本発明において、好ましくは、上記排水ソケットの垂下部材取付部の嵌合部と上記垂下部材の嵌合部のそれぞれは、上記排水ソケットの垂下部材取付部の内周方向に沿って上記排水ソケットの管路の中心軸線に対して内側と外側に互い違いに二列で配列され、上記排水ソケットの垂下部材取付部の嵌合部と上記垂下部材の嵌合部とが互いに嵌合している部分は、接着剤により固定され、面一の管路面を形成する。
このように構成された本発明においては、排水ソケットの垂下部材取付部の嵌合部と垂下部材の嵌合部のそれぞれが、排水ソケットの垂下部材取付部の内周方向に沿って排水ソケットの管路の中心軸線に対して内側と外側に互い違いに二列で配列されているため、排水ソケットの垂下部材取付部の嵌合部と垂下部材の嵌合部とが互いに嵌合している部分において、接着剤で接着させる接着面の表面積を増やすことができ、より強力に固定することができる。また、排水ソケットの垂下部材取付部の嵌合部と垂下部材の嵌合部とが互いに嵌合している部分が、面一の管路面を形成することができるため、排水ソケットの管路を狭めることなく、垂下部材が落下しないように排水ソケットにしっかりと固定することができる。
【発明の効果】
【００１７】
本発明の洗い落し式便器によれば、排水ソケットから床下排水管に偏って流入した洗浄水が床下排水管の屈曲部分をシールして負圧が発生することを防ぎ、便器の封水を引き込むことにより封水水位が低下することを防ぐことができるため、節水化できる。
【図面の簡単な説明】
【００１８】
【図１】本発明の一実施形態による洗い落し式便器において便座及び便蓋を省略した状態の側面断面図である。
【図２】本発明の一実施形態による洗い落し式便器の排水ソケットの側面図である。
【図３】本発明の一実施形態による洗い落し式便器の排水ソケットの側面断面図である。
【図４】図２のＩＶ−ＩＶ線に沿って見た断面図である。
【図５】本発明の一実施形態による洗い落し式便器の排水ソケットの内部に取り付けられる垂下部材を示す斜視図である。
【図６】図３に示す本発明の一実施形態による洗い落し式便器の排水ソケットの垂下部材の部分を拡大した部分拡大断面図である。
【図７】本発明の一実施形態による洗い落し式便器の排水ソケットから床下排水管に流れ込む排水の流れの様子を示す図である。
【発明を実施するための形態】
【００１９】
以下、添付図面を参照して、本発明の一実施形態による洗い落し式便器について説明する。
図１は、本発明の一実施形態による洗い落し式便器において便座及び便蓋を省略した状態の側面断面図である。図１に示すように、本発明の一実施形態による洗い落し式便器１は、ボウル部内の水の落差による流水作用で汚物を押し流す水洗大便器であり、陶器製の便器本体２と、この便器本体２の後部に取り付けられ、便器洗浄に使用される洗浄水を貯水して便器本体２へ給水する洗浄水源である重力給水式の貯水タンク４とを備えている。
なお、便器本体２へ洗浄水を供給する洗浄水源としては、本実施形態で示した重力給水式の貯水タンク４のようなタンク式のものに限定されず、水道水の給水圧を直接利用した水道直圧式のものや、フラッシュバルブ式のものや、ポンプの補圧を利用して洗浄水を供給するものであってもよい。
【００２０】
図１に示すように、便器本体２の前方上部にはボウル部６が形成されている。また、便器本体２の後方上部には、貯水タンク４から供給された洗浄水をボウル部６に吐水する導水路８が形成されている。さらに、ボウル部６の下方には、ボウル部６内の汚物を排出する排水路である排水トラップ管路１０が形成されている。
【００２１】
ボウル部６は、ボウル形状の汚物受け面１２と、ボウル部６の上縁部に沿って形成されたリム部１４と、これら汚物受け面１２とリム部１４との間に形成された棚部１６とを備えている。
【００２２】
また、ボウル部６は、汚物受け面１２よりも下方の領域に形成されて排水トラップ管路１０に接続される凹部１８を備えている。この凹部１８は、底面１８ａと、この底面１８ａと汚物受け面１２の下縁部１２ａとを接続する壁面１８ｂを備えており、凹部１８内には、封水水位に相当する溜水面Ｗ０の溜水が収容されている。
さらに、導水路８は、貯水タンク４の排水口４ａに接続される入口部８ａからボウル部６の背面側近傍まで延びる共通導水路８ｂと、この共通導水路８ｂのボウル部６の背面側近傍においてそれぞれ分岐するゼット導水路８ｃ及びリム導水路８ｄを備えている。
【００２３】
便器本体２の前方側から見てボウル部６の凹部１８の左側の側壁面１８ｂには、ゼット吐水口２０が形成され、このゼット吐水口２０は、導水路８の共通導水路８ｂから分岐したゼット導水路８ｂに接続されており、ゼット吐水口２０から吐水された洗浄水の主流が凹部１８内の溜水（溜水面Ｗ０）に向けて流れ込み、旋回するようになっている。
また、リム導水路８ｄは、ボウル部６の背面側近傍で共通導水路８ａから分岐し、便器本体２の前方側から見て左側に配置されているリム吐水口２２まで延びており、共通導水路８ａからリム導水路８ｄを経てリム吐水口２２に導水された洗浄水は、リム吐水口２２から吐水され、棚部１６上を流れて汚物受け面１２を旋回する旋回流を形成し、凹部１８内に流れ込むようになっている。
なお、リム部１４については、リム吐水口２２を設けるかわりに、リム導水路８ｄの下面の一部を開いた、いわゆる、「オープンリム」の形態であってもよいし、リム導水路８ｄの横断面を閉じた経路に設定して下方に開口した吐水孔を複数設けた、いわゆる、「ボックスリム」の形態であってもよい。
【００２４】
また、ボウル部６の汚物受け面１２の凹部１８の後方且つ下方には、上述した排水トラップ管路１０の入口１０ａが開口し、この入口１０ａから上昇管路１０ｂが後方且つ上方へ延びている。便器洗浄を行う前の状態では、上昇管路１０ｂ内は、溜水面Ｗ０の高さと等しい封水面で封水されている。この上昇管路１０ｂには、下方へ延びる下降管路１０ｃが連続し、下降管路１０ｃの下端（下降管路１０ｃの出口部）は、詳細は後述する排水ソケット２４の上端の入口部２４ａに接続されている。
さらに、排水ソケット２４の下方側（下流側）の出口部２４ｂには、床下排水管２６が接続されており、この床下排水管２６の管路２６ａは、排水ソケット２４の出口部２４ｂに接続された上端部（床下排水管２６の入口部）から下方に所定長さ延びた後、便器本体２の前側方向に屈曲する屈曲部２６ｂを備えている。
【００２５】
つぎに、図２〜図６を参照して、本実施形態による洗い落し式便器１の排水ソケット２４について詳細に説明する。
図２は、本発明の一実施形態による洗い落し式便器の排水ソケットの側面図であり、図３は、本発明の一実施形態による洗い落し式便器の排水ソケットの側面断面図であり、図４は、図２のＩＶ−ＩＶ線に沿って見た断面図である。
【００２６】
図１〜図４に示すように、排水ソケット２４は、便器本体２の後方且つ下方の内部に配置されており、床面Ｆにビスやボルト等の固定手段（図示せず）によって固定されるベース部２８と、このベース部２８の上方に一体に形成された本体部３０とを備えている。本体部３０の内部には、上端の入口部２４ａから下端の出口部２４ｂにかけて管路３２が形成されている。
【００２７】
また、図３に示すように、排水ソケット２４の管路３２は、後方から前方へ向かって下斜め方向に延びるように形成された上流側管路３２ａと、この上流側管路３２ａから連続して下方に延びるように形成された下流側管路３２ｂとを備えている。また、後方から前方へ向かって下斜め方向に延びるように形成された上流側管路３２ａの底面３２ｃを下斜め方向に延長した部分Ａと、下流側管路３２ｂの側面３２ｄを下方に延長した部分Ｂとが交わる部分Ｐの付近、すなわち、排水ソケット２４の管路３２の下流付近には、排水ソケット２４の管路３２の内周面に沿って旋回しようとする洗浄水の旋回方向の流速成分を減少させる旋回抑制手段として、管路３２の内側且つ下方に垂下する壁面を形成する垂下部材３４が設けられている。
【００２８】
つぎに、図３〜図６を参照して、垂下部材３４について詳細に説明する。
図５は、本発明の一実施形態による洗い落し式便器の排水ソケットの内部に取り付けられる垂下部材を示す斜視図であり、図６は、図３に示す本発明の一実施形態による洗い落し式便器の排水ソケットの垂下部材の部分を拡大した部分拡大断面図である。
【００２９】
図３〜図６に示すように、垂下部材３４は、排水ソケット２４の本体部２０の管路３２の下流付近に設けられた垂下部材取付部３６に別部材として取り付けられるようになっている。また、この排水ソケット２４の本体部３０の垂下部材取付部３６には、その内周方向に沿って所定間隔おいて下向きの嵌合用凸部３６ａ，３６ｂのそれぞれが複数設けられている。
一方、垂下部材３４の上端部には、その周方向に沿って所定間隔を置いて上向きの嵌合用凹部３４ａ，３４ｂのそれぞれが複数設けられており、排水ソケット２４の垂下部材取付部３６に垂下部材３４を下方から取り付けた際に、排水ソケット２４の垂下部材取付部３６の下向きの嵌合用凸部３６ａ，３６ｂのそれぞれが垂下部材３４の嵌合用凹部３４ａ，３４ｂのそれぞれに嵌合されるようになっている。
【００３０】
また、図４及び図５に示すように、排水ソケット２４の垂下部材取付部３６の嵌合用凸部３６ａ，３６ｂのそれぞれは、排水ソケット２４の垂下部材取付部３６の内周方向に沿って管路３２の中心軸線Ｃ１に対して内側と外側に互い違いに二列の歯列状に配列されており、内側嵌合用凸部３６ａと外側嵌合用凸部３６ｂをそれぞれ形成している。
同様に、垂下部材３４の嵌合用凹部３４ａ，３４ｂのそれぞれについても、垂下部材３４の上端部から下方に延びる内側壁面３４ｃと外側壁面３４ｄのそれぞれに、排水ソケット２４の垂下部材取付部３６の内周方向に沿って管路３２の中心軸線Ｃ１に対して内側と外側に互い違いに二列に配列されており、内側嵌合用凹部３４ａと外側嵌合用凹部３４ｂをそれぞれ形成している。
【００３１】
さらに、本実施形態において、排水ソケット２４の垂下部材取付部３６の内側嵌合用凸部３６ａと外側嵌合用凸部３６ｂに垂下部材３４の内側嵌合用凹部３４ａと外側嵌合用凹部３４ｂのそれぞれを下側から差し込んで嵌合させた状態では、垂下部材３４が排水ソケット２４の垂下部材取付部３６に落下することなく固定されているが、垂下部材３４が床下排水管２６内に落下しないように強力に固定するためには、互いの嵌合部分を接着剤により固定するのが好ましい。
また、図４に示すように、排水ソケット２４の垂下部材取付部３６に垂下部材３４を取り付けた状態では、垂下部材３４の内側壁面３４ｃと排水ソケット２４の垂下部材取付部３６の内側嵌合用凸部３６ａの内面３６ｃとが面一となっており、互いの嵌合部分が排水ソケット２４の管路３２を狭めることなく、滑らかな管路面を形成している。
【００３２】
図６に示すように、管路３２の内周面の一部を形成する垂下部材３４の内側壁面３４ｃは、上端から下方に所定長さＬ１だけ延びる上側領域３４ｅと、この上側領域３４ｅの下端から内側（中央側）且つ下方に向かって傾斜するように延びる下側領域３４ｆとを備えている。
なお、下側領域３４ｆの下方に向かって延びる傾斜については、直線的な傾斜に限定されることなく、湾曲して下方に傾斜してもよい。これにより、管路３２内の洗浄水の流れは、内壁面３４ｃの下側領域３４ｆにより、管路３２のほぼ中央方向（中心軸線Ｃ１の方向）にガイドされ、排水ソケット２４の出口部２４ｂから床下排水管２６の管路２６ａ内の前側壁面２６ｃの方向に偏った状態で流入しないようになっている。
【００３３】
また、図３、図４及び図６に示すように、排水トラップ管路１０の下降管路１０ｃの平面断面の中心軸線Ｃ２が排水ソケット２４の管路３２の平面断面の中心軸線Ｃ１（及び床下排水管２６の管路２６ａの中心軸線Ｃ１）よりも後側に位置する本実施形態においては、垂下部材３４が、排水ソケット２４を便器本体２に取り付けた使用状態において、便器本体２の前方から見て、排水ソケット２４の管路３２の平面断面の中心軸線Ｃ１に対して前側領域Ｒ１の一方側に設けられている。また、垂下部材３４の内側壁面３４ｃは、排水ソケット２４の管路３２の平面断面において、その内周に沿ってほぼ半周に亘って形成されている。これにより、垂下部材３４が、旋回流で便器本体２を洗浄した洗浄水が排水ソケット２４の管路３２の内周面に沿って旋回することを抑制し、洗浄水が床下排水管２６内の前側領域Ｒ１へ偏った状態で流入すること防ぐことができるようになっている。
【００３４】
さらに、図５及び図６に示すように、垂下部材３４においては、外側壁面３４ｄの下端から外側の排水ソケット２４の管路３２の内周面、より厳密には、図６に示す床下排水管２６の管路２６ａ内の前側壁面２６ｃに向かって突出するように立壁３８が設けられている。排水ソケット２４の管路３２内を流れる洗浄水量が比較的少なく、洗浄水の勢いがない状態で排水ソケット２４から床下排水管２６へ滴り落ちようとする水滴に対しても、水滴を垂下部材３４の立壁３８を伝わせ、床下排水管２６の管路２６ａ内の前側壁面２６ｃに沿って流下させることができるため、床下排水管２６の管路２６ａ内で発生する滴下音を防ぐことができるようになっている。
【００３５】
つぎに、図１〜図７により、本発明の一実施形態による洗い落し式便器の作用（動作）を説明する。
図７は、本発明の一実施形態による洗い落し式便器の排水ソケットから床下排水管に流れ込む排水の流れの様子を示す図であり、洗浄水の流れの方向を矢印で示している。
まず、使用者が便器洗浄のための操作レバー（図示せず）等を操作して、便器洗浄が開始されると、図１に示すように、貯水タンク４内の洗浄水が共通導水路８ａを経てゼット導水路８ｂとリム導水路８ｃに分岐して流れる。そして、ゼット吐水口２０のリム吐水口２２のそれぞれから吐水が行われ、便器本体２のボウル部６内が旋回流により洗浄された後、水の落差による流水作用で汚物が排水トラップ管路１０の入口１０ａから上昇管路１０ｂに排出される。
【００３６】
つぎに、この旋回流で便器を洗浄し、排水トラップ管路１０の上昇管路１０ｂ内に汚物と共に排出された洗浄水は、上昇管路１０ｂを上昇した後、下降管路１０ｃを下降し、排水ソケット２４の入口部２４ａから上流側管路３２ａ（図３参照）に流入する。
そして、図３及び図７に示すように、上流側管路３２ａ内の洗浄水は、上流側管路３２ａの底面３２ｃを流れることにより、後方から前方へ向かって下斜め方向に差し向けられ、上流側管路３２ａの底面３２ｃを下斜め方向に延長した部分Ａと、下流側管路３２ｂの側面３２ｄを下方に延長した部分Ｂとが交わる部分Ｐの付近に向かって流れる。
【００３７】
つぎに、図３、図５及び図７に示すように、上流側管路３２ａの底面３２ｃを下斜め方向に延長した部分Ａと下流側管路３２ｂの側面３２ｄを下方に延長した部分Ｂとが交わる部分Ｐの付近に衝突して洗浄水は、垂下部材３４の内側壁面３４ｃに沿って流れ、洗浄水は、垂下部材３４の内側壁面３４ｃの下側領域３４ｆによって、排水ソケット２４の管路３２のほぼ中央（管路３２の中心軸線Ｃ１の方向）に導かれる。これによって、旋回流で便器を洗浄して排水トラップ管路１０から排水ソケット２４の管路３２内に流入した洗浄水が排水ソケット２４の管路３２の内周面に沿って旋回することが抑制される。
【００３８】
つぎに、垂下部材３４によって排水ソケット２４の管路３２のほぼ中央に導かれた洗浄水は、床下排水管２６の管路２６ａの前側壁面２６ｃに沿うことなく、管路２６ａ内のほぼ中央付近を下方に流れる。すなわち、垂下部材３４によって、洗浄水が排水ソケット２４の管路３２から床下排水管２６の管路２６ａ内へ偏った状態で流入すること防ぐことができる。
【００３９】
また、床下排水管２６の管路２６ａ内のほぼ中央付近を下方に流れた洗浄水は、床下排水管２６の管路２６ａ内の屈曲部２６ｂに衝突し、管路２６ａの底面に沿って前方へ流れる。このとき、管路２６ａの流路断面は、洗浄水の水膜等によってシールされることがないため、洗い落し式便器１の封水を引き込もうとする負圧も発生していない。
【００４０】
上述した本発明の一実施形態による洗い落し式便器１によれば、排水ソケット２４の管路３２の内周面に沿って旋回しようとする洗浄水の旋回方向の流速成分を減少させる旋回抑制手段として、排水ソケット２４の管路３２の下流付近に垂下部材３４が設けられ、この垂下部材３４が管路３２の内側且つ下方に垂下する内側壁面３４を形成している。したがって、ゼット吐水口２０及びリム吐水口２２からボウル部６に洗浄水を吐水して形成した旋回流で便器を洗浄した洗浄水が排水ソケット２４の管路３２の内周面に沿って旋回することを垂下部材３４が抑制することができ、洗浄水が排水ソケット２４から床下排水管２６へ偏った状態で流入すること防ぐことができる。したがって、床下排水管２６が屈曲部２６ｂを有している場合に、排水ソケット２４から床下排水管２６に偏って流入した洗浄水が床下排水管２６の管路２６ａの屈曲部２６ｂをシールして負圧が発生することを防ぐことができ、洗い落し式便器１の封水を引き込むことにより封水水位が低下することを防ぐことができるため、節水化できる。
【００４１】
また、本実施形態による洗い落し式便器１によれば、排水トラップ管路１０の下降管路１０ｃの平面断面の中心軸線Ｃ２が排水ソケット２４の管路３２の平面断面の中心軸線Ｃ１よりも後側に位置し、垂下部材３４が排水ソケット２４の管路３２の平面断面の中心軸線Ｃ１に対して前側領域に設けられていることにより、旋回流で便器を洗浄した洗浄水が排水ソケット２４の管路３２の内周面に沿って旋回することを抑制し、洗浄水が床下排水管２６内の前側領域Ｒ１へ偏った状態で流入すること防ぐことができる。したがって、床下排水管２６の管路２６ａが屈曲部２６ｂを有している場合に、排水ソケット２４から床下排水管２６に偏って流入した洗浄水が床下排水管２６の管路２６ａの屈曲２６ｂをシールして負圧が発生することを防ぐことができ、洗い落し式便器１の封水を引き込むことにより封水水位が低下することを防ぐことができるため、節水化できる。また、垂下部材３４が排水ソケット２４の管路３２の平面断面の中心軸線Ｃ１に対して後側領域には設けられていないため、排水ソケット２４の管路３２を狭めることなく、縮流によって排水ソケット２４の管路３２内でサイホン作用が発生することを防ぐこともでき、排水ソケット２４自体が洗い落し式便器１の封水を引き込むことにより封水水位が低下することを防ぐこともできるため、節水化できる。
【００４２】
さらに、本実施形態による洗い落し式便器１によれば、垂下部材３４の内側壁面３４ｃが、排水ソケット２４の管路３２の平面断面において、その内周に沿ってほぼ半周に亘って形成されていることにより、旋回流で便器を洗浄した洗浄水が排水ソケット２４の管路３２の内周面に沿って旋回するのを確実に抑制し、洗浄水を垂下部材３２の内側壁面３４ｃに沿って排水ソケット２４の管路３２のほぼ中央（管路３２の中心軸線Ｃ１の方向）に導くことができ、洗浄水が排水ソケット２４から床下排水管２６の管路２６ａへ偏った状態で流入すること防ぐことができる。したがって、床下排水管２６の管路２６ａが屈曲部２６ｂを有している場合に、排水ソケット２４から床下排水管２６の管路２６ａ内の前側壁面２６ａ側に偏って流入することを防ぐため、洗浄水が床下排水管２６の管路２６ａの屈曲部２６ｂをシールして負圧が発生することを防ぐことができ、洗い落し式便器１の封水を引き込むことにより封水水位が低下することを防ぐことができるため、節水化できる。また、排水ソケット２４の管路３２の平面断面の内周に沿って形成される垂下部材３４の内側壁面３４ｃをほぼ半周程度に留めることにより、排水ソケット２４の管路３２を狭めることなく、縮流によって排水ソケット２４内でサイホン作用が発生することを防ぐこともでき、排水ソケット２４自体が洗い落し式便器１の封水を引き込むことにより封水水位が低下することを防ぐこともできるため、節水化できる。
【００４３】
また、本実施形態による洗い落し式便器１によれば、垂下部材３４の内側壁面３４ｃの下側領域３４ｆが排水ソケット２４の管路３２の平面断面の中央且つ下方に向かって傾斜するように形成されていることにより、旋回流で便器を洗浄した洗浄水が排水ソケット２４の管路３２の内周面に沿って旋回するのをより確実に抑制し、洗浄水を垂下部材３４の内側壁面３４ｃに沿って排水ソケット２４の管路３２のほぼ中央（管路３２の中心軸線Ｃ１の方向）に、より確実に導くことができ、洗浄水が排水ソケット２４から床下排水管２６へ偏った状態で流入すること確実に防ぐことができる。したがって、床下排水管２６の管路２６ａが屈曲部２６ｂを有している場合に、排水ソケット２４から床下排水管２６の管路２６ａ内の前側壁面２６ａ側に偏って流入した洗浄水が床下排水管２６の管路２６ａの屈曲部２６ｂをシールして負圧が発生することを確実に防ぐことができ、洗い落し式便器１の封水を引き込むことにより封水水位が低下することを確実に防ぐことができるため、節水化できる。
【００４４】
さらに、本実施形態による洗い落し式便器１によれば、垂下部材３４が、排水ソケット２４の上流側管路３２ａの底面３２ｃを下斜め方向に延長した部分Ａと排水ソケット２４の下流側管路３２ｂの側面３２ｄを下方に延長した部分Ｂとが交わる部分Ｐの付近に設けられることにより、旋回流で便器を洗浄した洗浄水が排水ソケット２４の管路３２の内周面に沿って旋回するのを確実に抑制し、排水ソケット２４の上流側管路３２ａを流れた洗浄水を下流側管路３２ｂのほぼ中心軸線Ｃ１の方向に確実に導くことができ、洗浄水が排水ソケット２４から床下排水管２６へ偏った状態で流入することを確実に防ぐことができる。したがって、床下排水管２６の管路２６ａが屈曲部２６ｂを有している場合に、排水ソケット２４から床下排水管２６の管路２６ａの前側壁面２６ｃ側に偏って流入した洗浄水が床下排水管２６の管路２６ａの屈曲部２６ｂをシールして負圧が発生することを確実に防ぐことができ、洗い落し式便器１の封水を引き込むことにより封水水位が低下することを確実に防ぐことができるため、節水化できる。
【００４５】
また、本実施形態による洗い落し式便器１によれば、垂下部材３４が排水ソケット２４の管路３２の下流付近に設けられた垂下部材取付部３６に別部材として取り付けられ、この排水ソケット２４の垂下部材取付部３６に内周方向に沿って複数設けられた下向きの内側嵌合用凸部３６ａ及び外側嵌合用凸部３６ｂのそれぞれと、垂下部材３４の上端部に周方向に沿って複数設けられた上向きの内側嵌合用凹部３４ａ及び外側嵌合用凹部３４ｂのそれぞれとが互いに嵌合して取り付けられているため、垂下部材３４を排水ソケット２４にしっかりと固定することができる。さらに、これらの排水ソケット２４の垂下部材取付部３６の内側嵌合用凸部３６ａ及び外側嵌合用凸部３６ｂが、互いに垂下部材取付部３６の円周方向に沿って排水ソケット２４の管路３２の中心軸線Ｃ１に対して内側と外側に二列で配列されていると共に、垂下部材３４の内側嵌合用凹部３４ａ及び外側嵌合用凹部３４ｂが互いに垂下部材取付部３６の円周方向に沿って排水ソケット２４の管路３２の中心軸線Ｃ１に対して内側と外側に二列で配列されているため、垂下部材３４を排水ソケット２４にしっかりと固定することができる。
【００４６】
さらに、本実施形態による洗い落し式便器１によれば、排水ソケット２４内を流れる洗浄水量が比較的少なく、洗浄水の勢いがない状態で排水ソケット２４から床下排水管２６へ滴り落ちようとする水滴に対しても、垂下部材３４の外側壁面３４ｄの下端から外側の床下排水管２６の管路２６ａ内の前側壁面２６ｃに向かって突出するように設けられた立壁３８により、水滴を垂下部材３４の立壁３８を伝わせ、床下排水管２６の管路２６ａ内の前側壁面２６ｃに沿って流下させることができる。したがって、床下排水管２６内で発生する滴下音を防ぐことができる。
【００４７】
また、本実施形態による洗い落し式便器１によれば、排水ソケット２４の垂下部材取付部３６の嵌合部（内側嵌合用凸部３６ａ及び外側嵌合用凸部３６ｂ）のそれぞれと、垂下部材３４の嵌合部（内側嵌合用凹部３４ａ及び外側嵌合用凹部３４ｂ）のそれぞれとが、排水ソケット２４の垂下部材取付部３６の内周方向に沿って排水ソケット２４の管路３２の中心軸線Ｃ１に対して内側と外側に互い違いに二列で配列されているため、排水ソケット２４の垂下部材取付部３６の嵌合部と垂下部材３４の嵌合部とが互いに嵌合している部分において、接着剤で接着させる接着面の表面積を増やすことができ、より強力に固定することができる。また、排水ソケット２４の垂下部材取付部３６に垂下部材３４を取り付けた状態では、垂下部材３４の内側壁面３４ｃと排水ソケット２４の垂下部材取付部３６の内側嵌合用凸部３６ａの内面３６ｃとが面一となっており、互いの嵌合部分が排水ソケット２４の管路３２を狭めることなく、滑らかな面一の管路面を形成しているため、排水ソケットの管路を狭めることなく、垂下部材３４が落下しないように排水ソケット２４の垂下部材取付部３６にしっかりと固定することができる。
【００４８】
なお、上述した本発明の一実施形態による洗い落し式便器１では、例として、排水トラップ管路１０の下降管路１０ｃの平面断面の中心軸線Ｃ２が排水ソケット２４の管路３２の平面断面の中心軸線Ｃ１（及び床下排水管２６の管路２６ａの中心軸線Ｃ１）よりも後側に位置する場合において、垂下部材３４が、排水ソケット２４の管路３２の平面断面の中心軸線Ｃ１に対して前側領域Ｒ１の一方側に設けられた形態について説明したが、他の形態についても適用可能である。
例えば、排水トラップ管路１０の下降管路１０ｃの平面断面の中心軸線Ｃ２が、排水ソケット２４の管路３２の平面断面の中心軸線Ｃ１（及び床下排水管２６の管路２６ａの中心軸線Ｃ１）よりも前側に位置する場合、又は、排水ソケット２４の管路３２の平面断面の中心軸線Ｃ１（及び床下排水管２６の管路２６ａの中心軸線Ｃ１）と同じ位置にある場合には、垂下部材３４を排水ソケット２４の管路３２の平面断面の中心軸線Ｃ１に対して後側領域の一方側に設けることにより、旋回流で便器を洗浄した洗浄水が排水ソケット２４の管路３２の内周面に沿って旋回することを確実に抑制することができ、洗浄水が床下排水管２６の管路２６ａ内の後側領域へ偏った状態で流入すること防ぐことができる。
要するに、排水トラップ管路１０の下降管路１０ｃの中心軸線Ｃ２と排水ソケット２４の管路３２の平面断面の中心軸線Ｃ１（及び床下排水管２６の管路２６ａの中心軸線Ｃ１）との互いの関係がどのような態様であっても、排水ソケット２４に対する垂下部材３４の配置を適宜変更することにより、旋回流で便器を洗浄した洗浄水が排水ソケットの管路の内周面に沿って旋回することを確実に抑制することができる。
【００４９】
また、上述した本実施形態の洗い落し式便器１では、例として、垂下部材３４が上流側管路３２ａの底面３２ｃを下斜め方向に延長した部分Ａと、下流側管路３２ｂの側面３２ｄを下方に延長した部分Ｂとが交わる部分Ｐの付近に設けられた形態について説明するが、垂下部材３４については、交わる部分Ｐの付近よりも下方に設けられていてもよい。
【００５０】
さらに、上述した本実施形態の洗い落し式便器１では、例として、垂下部材３４が排水ソケット２４の本体部２０の管路３２の下流付近に設けられた垂下部材取付部３６に別部材として取り付けられる形態について説明したが、垂下部材３４については、排水ソケット２４の垂下部材取付部３６に一体に設けられていてもよい。
【００５１】
また、上述した本実施形態の洗い落し式便器１では、例として、排水ソケット２４の垂下部材取付部３６と垂下部材３４とが嵌合する嵌合部ついて、排水ソケット２４の垂下部材取付部３６に下向きの嵌合用凸部３６ａ，３６ｂを複数設け、垂下部材３４の上端部に上向きの嵌合用凹部３４ａ，３４ｂを複数設けた形態について説明したが、このような形態に限られず、他の形態として、排水ソケット２４の垂下部材取付部３６に上向きの嵌合用凹部を複数設け、垂下部材３４の上端部に上向きの嵌合用凸部を複数設けた形態であってもよい。
【００５２】
さらに、上述した本実施形態の洗い落し式便器１では、例として、垂下部材３４においては、外側壁面３４ｄの下端から床下排水管２６の管路２６ａ内の前側壁面２６ｃに向かって突出するように立壁３８が設けられた形態について説明したが、この立壁３８については省略してもよい。
【符号の説明】
【００５３】
１    洗い落し式便器
２    便器本体
４    貯水タンク
４ａ  貯水タンクの排水口
６    ボウル部
８    導水路  
８ａ  導水路の入口部
８ｂ  共通導水路
８ｃ  ゼット導水路
８ｄ  リム導水路
１０    排水トラップ管路
１０ａ  排水トラップ管路の入口
１０ｂ  排水トラップ管路の上昇管路
１０ｃ  排水トラップ管路の下降管路
１２    汚物受け面
１２ａ  汚物受け面の下縁部
１４    リム部
１６    棚部
１８    凹部
１８ａ  凹部の底面
１８ｂ  凹部の壁面
２０    ゼット吐水口
２２    リム吐水口
２４    排水ソケット
２４ａ  排水ソケットの入口部
２４ｂ  排水ソケットの出口部
２６    床下排水管
２６ａ  床下排水管の管路
２６ｂ  床下排水管の管路の屈曲部
２６ｃ  床下排水管の前側壁面
２８    排水ソケットのベース部
３０    排水ソケットの本体部
３２    排水ソケットの管路
３２ａ  排水ソケットの上流側管路
３２ｂ  排水ソケットの下流側管路
３２ｃ  排水ソケットの上流側管路の底面
３２ｄ  排水ソケットの下流側管路の側面
３４    垂下部材（旋回抑制手段）
３４ａ  内側嵌合用凹部（垂下部材の嵌合部）
３４ｂ  外側嵌合用凹部（垂下部材の嵌合部）
３４ｃ  内側壁面
３４ｄ  外側壁面
３４ｅ  内側壁面の上側領域
３４ｆ  内側壁面の下側領域
３６    排水ソケットの本体部の垂下部材取付部
３６ａ  垂下部材の内側嵌合用凸部（排水ソケットの垂下部材取付部の嵌合部）
３６ｂ  垂下部材の外側嵌合用凸部（排水ソケットの垂下部材取付部の嵌合部）
３６ｃ  垂下部材の内側嵌合用凸部の内面
３８    垂下部材の立壁
Ａ    排水ソケットの上流側管路の底面を下斜め方向に延長した部分
Ｂ    排水ソケットの下流側管路の側面を下方に延長した部分
Ｃ１  排水ソケット及び床下排水管の管路の中心軸線
Ｃ２  排水トラップ管路の下降管路の中心軸線
Ｆ    床面
Ｌ１  垂下部材の内側壁面の上側領域の長さ
Ｌ２  垂下部材の内側壁面の下側領域の長さ
Ｐ    排水ソケットの上流側管路の底面の延長部分と下流側管路の側面の延長部分とが交わる部分
Ｒ１  排水ソケットの管路の中心軸線に対する前側領域
Ｗ０  溜水面
【図１】
2015063849.tif 000003
【図２】
2015063849.tif 000004
【図３】
2015063849.tif 000005
【図４】
2015063849.tif 000006
【図５】
2015063849.tif 000007
【図６】
2015063849.tif 000008
【図７】
2015063849.tif 000009